(57)【要約】【課題】  本発明は、車載用電子機器において、リアでモニターを視聴している視聴者の不満感を、和らげることを目的とする。【解決手段】フロント機器４と、リア機器８とを備え、フロント機器４は、フロント制御部９と、フロント制御部９に接続された映像機器１０とを有し、リア機器８は、フロント制御部９に接続されたリア制御部１１と、このリア制御部１１に接続されたリア操作部１２と、リア制御部１１、および映像機器１０に接続されたモニター１３とを有し、フロント制御部９は、車両アクセサリー電源のＯＦＦ信号を受けると、リア制御部１１を介してモニター１３に動作終了予告表示を行うとともに、このモニター１３への動作終了予告表示後に、リア操作部１２により動作延長操作が行われると、映像機器１０の動作を延長する構成とした。【選択図】図４
2012100365.tif 000002
【特許請求の範囲】
【請求項１】
フロント機器と、このフロント機器に接続されたリア機器とを備え、前記フロント機器は、フロント制御部と、このフロント制御部に接続された映像機器とを有し、前記リア機器は、前記フロント制御部に接続されたリア制御部と、このリア制御部に接続されたリア操作部と、前記リア制御部、および映像機器に接続されたモニターとを有し、前記フロント制御部は、車両アクセサリー電源（以下ＡＣＣと称す）のＯＦＦ信号を受けると、前記リア制御部を介して前記モニターに動作終了予告表示を行うとともに、このモニターへの動作終了予告表示後に、前記リア操作部により動作延長操作が行われると、前記映像機器の動作を延長する構成とした車載用電子機器。
【請求項２】
前記フロント制御部は、前記モニターへの動作終了予告表示後に、前記リア操作部により動作延長操作が行われると、前記映像機器の動作を一定時間延長する構成とした請求項１に記載の車載用電子機器。
【発明の詳細な説明】
【技術分野】
【０００１】
本発明は、フロント機器と、このフロント機器に接続されたリア機器とを備えた車載用電子機器に関するものである。
【背景技術】
【０００２】
従来のこの種、車載用電子機器の構成は、以下のようなものとなっていた。
【０００３】
すなわち、車内のフロント部分に設置されるフロント機器と、このフロント機器に接続されるとともに、車内のリア部分に設置されるリア機器とを備えていた。
【０００４】
また、前記フロント機器は、フロント制御部と、このフロント制御部に接続された映像機器（例えばＤＶＤプレイヤー）とを有し、前記リア機器は、前記フロント制御部に接続されたリア制御部と、このリア制御部に接続されたリア操作部と、前記リア制御部、およびプレイヤーに接続されたモニターとを有している。
【０００５】
つまり、フロント機器の映像機器で再生した映像等を、後部座席のモニターで視聴することが出来るようになっているのである。
【０００６】
さて、このような車載用電子機器において、車両の運転者がエンジンを停止すると、車両アクセサリー電源（以下ＡＣＣと称す）もＯＦＦとなるので、後部座席のモニターで視聴を楽しんでいた者（例えば子供たち）にとっては、急に映像、音声が途切れ、極めて不満な状態となる。
【０００７】
そこで、ＡＣＣをＯＦＦすると、前記モニターに動作終了予告表示、つまり、あと何分後に動作が終了するという予告表示をするものが提案されている（これに類似する先行文献としては下記特許文献１が存在する）。
【先行技術文献】
【特許文献】
【０００８】
【特許文献１】特開２００６−６７７６８号公報
【発明の概要】
【発明が解決しようとする課題】
【０００９】
前記従来例においては、ＡＣＣをＯＦＦすると、前記モニターに動作終了予告表示が行われるので、後部座席のモニターで視聴を楽しんでいた者（例えば子供たち）にとっても、予告無しに映像、音声が急に途切れることは無く、不満感は少しは和らぐことになる。
【００１０】
しかしながら、現在視聴している内容によっては、あと少し継続的に視聴したいものもあり、その場合には、やはり不満感は残ってしまうことになる。
【００１１】
そこで、本発明は、後部座席のモニターで視聴を楽しんでいる者への不満感を、さらに和らげることを目的とするものである。
【課題を解決するための手段】
【００１２】
そして、この目的を達成するために本発明は、フロント機器と、このフロント機器に接続されたリア機器とを備え、前記フロント機器は、フロント制御部と、このフロント制御部に接続された映像機器とを有し、前記リア機器は、前記フロント制御部に接続されたリ
ア制御部と、このリア制御部に接続されたリア操作部と、前記リア制御部、および映像機器に接続されたモニターとを有し、前記フロント制御部は、車両アクセサリー電源（以下ＡＣＣと称す）のＯＦＦ信号を受けると、前記リア制御部を介して前記モニターに動作終了予告表示を行うとともに、このモニターへの動作終了予告表示後に、前記リア操作部により動作延長操作が行われると、前記映像機器の動作を延長する構成とし、これによって所期の目的を達成するものである。
【発明の効果】
【００１３】
以上のように本発明は、フロント機器と、このフロント機器に接続されたリア機器とを備え、前記フロント機器は、フロント制御部と、このフロント制御部に接続された映像機器とを有し、前記リア機器は、前記フロント制御部に接続されたリア制御部と、このリア制御部に接続されたリア操作部と、前記リア制御部、および映像機器に接続されたモニターとを有し、前記フロント制御部は、車両アクセサリー電源（以下ＡＣＣと称す）のＯＦＦ信号を受けると、前記リア制御部を介して前記モニターに動作終了予告表示を行うとともに、このモニターへの動作終了予告表示後に、前記リア操作部により動作延長操作が行われると、前記映像機器の動作を延長する構成としたものであるので、後部座席のモニターで視聴を楽しんでいる者への不満感を、さらに和らげることができる。
【００１４】
すなわち、本発明においては、前記フロント制御部が、車両アクセサリー電源（以下ＡＣＣと称す）のＯＦＦ信号を受けると、前記リア制御部を介して前記モニターに動作終了予告表示を行うとともに、このモニターへの動作終了予告表示後に、前記リア操作部により動作延長操作が行われると、前記映像機器の動作を延長する構成としたものであるので、リアの座席のモニターで視聴を楽しんでいる者が、いま少し現在の視聴を継続したいと思った時には、前記リア操作部の操作をするだけで、その視聴を継続することが出来、その結果として視聴者の不満感を、さらに和らげることができるのである。
【図面の簡単な説明】
【００１５】
【図１】本発明の一実施形態にかかる車載用電子機器を搭載した車両の側面図
【図２】本発明の一実施形態にかかる車載用電子機器を搭載した車両の側面図
【図３】本発明の一実施形態にかかる車載用電子機器の正面図
【図４】本発明の一実施形態にかかる車載用電子機器の電気的ブロック図
【図５】本発明の一実施形態にかかる車載用電子機器の動作状態を示す図
【図６】本発明の一実施形態にかかる車載用電子機器の動作状態を示す図
【図７】本発明の一実施形態にかかる車載用電子機器の動作状態を示すフローチャート
【発明を実施するための形態】
【００１６】
（実施の形態１）
以下、本発明の実施の形態１を、添付図面を用いて説明する。
【００１７】
図１、図２において、１は車両を示し、その車内２のフロント部分には、ハンドル３が設けられ、またこのハンドル３の側方には車載用電子機器を構成するフロント機器４が配置され、さらにこのフロント部分には、座席５が配置されている。
【００１８】
また、座席５よりも後方のリア部分には、座席６、７が配置され、そのうち座席６の少し前の上方には、前記フロント機器４に接続されたリア機器８が配置されている。
【００１９】
前記フロント機器４は、図４に示すようにフロント制御部９と、このフロント制御部９に接続された映像機器（例えばＤＶＤプレイヤー）１０とを有する。
【００２０】
また、前記リア機器８は、図４に示すように、前記フロント制御部９に接続されたリア制御部１１と、このリア制御部１１に接続されたリア操作部１２と、前記リア制御部１１、および映像機器１０に接続されたモニター１３とを有する。
【００２１】
なお、映像機器１０とモニター１３間には、映像出力回部１４が介在され、またリア制御部１１とモニター１３間には、表示回路１５が介在されている。
【００２２】
また、リア制御部１１には、カウンター１６も接続されている。
【００２３】
前記リア操作部１２は、図３のごとく、モニター１３の下方において、その左側から右側に向けて、前記映像機器（例えばＤＶＤプレイヤー）１０の再生ボタン１７、一時停止ボタン１８、停止ボタン１９、電源ボタン２０、巻き戻しボタン２１、早送りボタン２２が設けられている。
【００２４】
図７は本実施形態の動作状態を示すフローチャートである。
【００２５】
この場合、既に車両１が走行状態にあり、しかもリアの座席６、７においては、リア機器８のモニター１３で、フロント機器４の映像機器（例えばＤＶＤプレイヤー）１０から送られてくる映像、音声を視聴している状態となっている。
【００２６】
目的地に到着し、ＡＣＣがＯＦＦされると、そのＯＦＦ信号はフロント制御部９によって検出され（図７のＳ１、）リア制御部１１を介して図５のごとく、前記モニター１３に動作終了予告表示を行う（図７のＳ２）。
【００２７】
ここで、リアの座席６、７でモニター１３を視聴しているものが、この図５の表示を確認し、リア操作部１２の電源ボタン２０を操作すると、図６のごとくモニター１３には、再生完了までの時間が表示されるとともに、リア制御部１１、フロント制御部９を介して映像機器１０に動作の延長指示をすることになる（図７のＳ３、Ｓ４）。
【００２８】
しかしながら、動作を延長しても、車両１のバッテリー上がりを防止するために、本実施形態では、１０分の延長が経過すると、映像機器１０やモニター１３への電源供給を停止することとなっている（図７のＳ５、Ｓ６）。
【００２９】
なお、Ｓ３において、電源ボタン２０が操作されなかった場合には、直ちに、このＳ６へと進行することとなっている。
【００３０】
以上のごとく、本実施形態によれば、前記フロント制御部９が、ＡＣＣのＯＦＦ信号を受けると、前記リア制御部１１を介して前記モニター１３に動作終了予告表示を行うとともに、このモニター１３への動作終了予告表示後に、前記リア操作部１２の電源ボタン２０により動作延長操作が行われると、前記映像機器１０の動作を延長することが出来る。
【００３１】
このため、リアの座席６、７でモニター１３視聴を楽しんでいる者が、いま少し現在の視聴を継続したいと思った時には、その視聴を継続することが出来、その結果として視聴者の不満感を、さらに和らげることができるのである。
【産業上の利用可能性】
【００３２】
以上のように本発明は、前記フロント制御部が、車両アクセサリー電源（以下ＡＣＣと称す）のＯＦＦ信号を受けると、前記リア制御部を介して前記モニターに動作終了予告表示を行うとともに、このモニターへの動作終了予告表示後に、前記リア操作部により動作延長操作が行われると、前記映像機器の動作を延長する構成としたものであるので、リア
の座席のモニターで視聴を楽しんでいる者が、いま少し現在の視聴を継続したいと思った時には、前記リア操作部の操作をするだけで、その視聴を継続することが出来、その結果として視聴者の不満感を、さらに和らげることができるのである。
【００３３】
したがって、車載用電子機器として広く活用されるものとなる。
【符号の説明】
【００３４】
１  車両
２  車内
３  ハンドル
４  フロント機器
５、６、７  座席
８  リア機器
９  フロント制御部
１０  映像機器
１１  リア制御部
１２  リア操作部
１３  モニター
１４  映像出力回部
１５  表示回路
１６  カウンター
１７  再生ボタン
１８  一時停止ボタン
１９  停止ボタン
２０  電源ボタン
２１  巻き戻しボタン
２２  早送りボタン
【図１】
2012100365.tif 000003
【図２】
2012100365.tif 000004
【図３】
2012100365.tif 000005
【図４】
2012100365.tif 000006
【図５】
2012100365.tif 000007
【図６】
2012100365.tif 000008
【図７】
2012100365.tif 000009